(57)【要約】【課題】機械室を見直すことで機械室と対応する庫内容積の拡大と効率のよい冷却風の流れを確保する。【解決手段】本体７背面下部に、軸流が本体左右方向となる放熱ファン１３により第１仕切室１１ａと第２仕切室１１ｂとに仕切られた機械室１１を形成する。第１仕切室１１ａには外気取入口１７を設けると共に仕切室内に凝縮器２５を配置する。他方の第２仕切室１１ｂには排気口３１を設けると共に仕切室内に圧縮機３３を配置して前記第１、第２仕切室１１ａ，１１ｂを、放熱ファン１３の運転時に凝縮器２５，圧縮機３３の順に冷却風が流れる本体左右方向の直列の配置構造とする。【選択図】図１
2009008375.tif 000002
【特許請求の範囲】
【請求項１】
本体背面下部に、軸流が本体左右方向となる放熱ファンにより第１仕切室と第２仕切室とに仕切られた機械室を形成し、一方の前記第１仕切室には外気取入口を設けると共に仕切室内に凝縮器を配置し、他方の第２仕切室には排気口を設けると共に仕切室内に圧縮機を配置し、前記第１、第２仕切室を、放熱ファンの運転時に凝縮器，圧縮機の順に冷却風が流れる本体左右方向の直列の配置構造とすることを特徴とする冷蔵庫。
【請求項２】
少なくとも前記第１仕切室は放熱ファンの運転時に機械室をカバーするカバー体によって凝縮器の全領域にわたり冷却風が流れる通風路に形成される一方、圧縮機は前記放熱ファンと軸流方向に沿って対向配置していることを特徴とする請求項１記載の冷蔵庫。
【請求項３】
前記第１仕切室は、凝縮器が配置される領域の通路が第２仕切室の奥行寸法より小さい形状となっていることを特徴とする請求項２記載の冷蔵庫。
【請求項４】
前記排気口は、底面下部又は側方へ向け排気する部位に設けられていることを特徴とする請求項１又は２記載の冷蔵庫。
【請求項５】
前記凝縮器の下位に、蒸発皿を配置することを特徴とする請求項１又は２のいずれかに記載の冷蔵庫。
【請求項６】
前記外気取入口と排気口は、本体から突出し室内壁面と接触可能な仕切り突起体によって上下方向又は左右方向に仕切られることを特徴とする請求項１、２、３、４のいずれかに記載の冷蔵庫。
【請求項７】
前記仕切り突起体は、本体に対して取り外し可能な別体形状であることを特徴とする請求項６記載の冷蔵庫。
【請求項８】
前記仕切り突起体は、突起体本体とその突起体本体から付勢手段によって常時突出するよう付勢され、室内壁面と接触し合う突出状態と突出状態から後退し、突起体本体内に収まる後退状態とに進退可能な壁面接触部とで構成されていることを特徴とする請求項６、７のいずれかに記載の冷蔵庫。
【発明の詳細な説明】
【技術分野】
【０００１】
本発明は冷蔵庫本体の背面下部に機械室を備えた冷蔵庫に関する。
【背景技術】
【０００２】
近年、一般家庭の冷蔵庫にあっては、生活の多様化から外形サイズはそのままで収納容積の拡大が求められている。
【０００３】
このために、例えば、一般には真空断熱パネルなど断熱性の高い断熱材を使用することで庫内を取囲む断熱層を薄くし薄くした分、庫内容積の拡大を図る等の手段が採られている。
【発明の開示】
【発明が解決しようとする課題】
【０００４】
断熱性の高い真空断熱パネル材を用いる手段は、庫内を取囲む断熱層を薄くすることで庫内容積の拡大を図るようになるが、特に、冷凍サイクルを構成する構成部品を収納配置する機械室にあっては、大きな占有スペースを必要とするため機械室が設けられた領域の庫内は大きな制約を受ける不具合があった。
【０００５】
そこで、本発明にあっては庫内の広さに大きな影響を与える機械室の構造を見直すことで機械室と対応する庫内容積の拡大と効率のよい冷却風の流れが得られるようにすることを目的とする。
【課題を解決するための手段】
【０００６】
前記目的を達成するために、本発明にあっては、本体背面下部に、軸流が本体左右方向となる放熱ファンにより第１仕切室と第２仕切室とに仕切られた機械室を形成し、一方の前記第１仕切室には外気取入口を設けると共に仕切室内に凝縮器を配置し、他方の第２仕切室には排気口を設けると共に仕切室内に圧縮機を配置し、前記第１、第２仕切室を、放熱ファンの運転時に凝縮器、圧縮機の順に冷却風が流れる本体左右方向の直列の配置構造とすることを特徴とする。
【発明の効果】
【０００７】
本発明によれば、機械室を放熱ファンを挟んで第１仕切室と第２仕切室とに仕切ると共に、本体左右方向の直列の配置構造にできるため、庫内に影響を与える機械室の奥行寸法を小さく抑えることが可能となり、その分、庫内容積の拡大が図れる。
【０００８】
一方、放熱ファンの運転時、冷却風の全量が凝縮器、圧縮機の順に流れる流れを得ることができるため、凝縮器にあっては効率のよい熱交換を行なうことができる。また、圧縮機にあっては効率のよい冷却状態が得られる。
【発明を実施するための最良の形態】
【０００９】
本発明において最良の形態につき好ましい実施形態としては、第１に、少なくとも前記第１仕切室を放熱ファンの運転時に機械室をカバーするカバー体によって凝縮器の全領域にわたり冷却風が流れる通風路に形成する一方、圧縮機を前記放熱ファンと軸流方向に沿って対向配置することで、凝縮器全体で熱交換が行なえるようにすると共に、放熱ファンからの冷却風が圧縮機に対して効率よく当たるようにする。
【００１０】
第２に、凝縮器が配置される前記第１仕切室の通路を、第２仕切室の奥行寸法より小さい形状とすることで、庫内容積に与える悪影響を小さく抑えるようにする。
【００１１】
第３に、放熱ファンを横向きにした上で、前記排気口を、底面下部又は側方へ向け排気する部位に設けることで、前方へ直接向かう騒音の低減が図れるようにする。
【００１２】
第４に、前記凝縮器の下位に、蒸発皿を配置することで凝縮器の熱で水分を蒸発させることができるようにする。
【００１３】
第５に、前記外気取入口と排気口を、冷蔵庫本体から突出し室内壁面と接触可能な仕切り突起体によって上下方向又は左右方向に仕切られることで、排気口から直接外気取入口へ向かって流れるショートサーキットが起きないようにする。
【００１４】
第６に、前記仕切り突起体を、本体に対して取外し可能な別体形状とすることで冷蔵庫本体からのでっぱり形状をなくし搬入時の作業が容易に行なえるようにする。
【００１５】
第７に、前記仕切り突起体を、突起体本体とその突起体本体から付勢手段によって常時突出するよう付勢し、室内壁面と接触する突出状態と突出状態から後退し、突起体本体内に収まる後退状態とに進退可能な壁面接触部とで構成することで室内壁面に対して冷蔵庫本体を接近させて設置したり、あるいは、離して設置した際でも、進退することで壁面接触部が室内壁面と確実に接触し合うようにすることが望ましい。
【実施例】
【００１６】
以下、図１乃至図４の図面を参照しながら本発明の実施形態について具体的に説明する。
【００１７】
図１は冷蔵庫本体の背面下部に設けられた機械室の概要平面図、図２は機械室を示した冷蔵庫全体の概要側面図をそれぞれ示している。
【００１８】
図２において冷蔵庫１は上から順に冷蔵室３、野菜室５、第１、第２冷凍室６、７をそれぞれ有し、前方は開閉扉３ａ，５ａ，６ａ，７ａとなっている。冷蔵室３の開閉扉３ａのみヒンジタイプとなっていて、他の開閉扉５ａ，６ａ，７ａは引出しタイプとなっている。
【００１９】
冷蔵庫本体９の背面下部（図面右側）は機械室１１となっており、図１に示すように軸流が本体左右方向（図面左右方向）となる放熱ファン１３により第１仕切室１１ａと第２仕切室１１ｂとに仕切られている。第１，第２仕切室１１ａ，１１ｂの背面は図５に示す如くカバー体１５によってカバーされることで、上下，左右が取囲まれ、放熱ファン１３の運転時、第１仕切室１１ａから第２仕切室１１ｂの順に風が流れる本体左右方向の直列配置構造となっている。
【００２０】
第１、第２仕切室１１ａ，１１ｂの本体左右方向の直列の配置構造は、冷却風が本体左右方向（図１左右）に沿って流れるようにするレイアウト構造と第１、第２仕切室１１ａ，１１ｂの構造の組合せによって庫内に悪影響を与える機械室全体の奥行寸法Ｄが小さく抑えられるようにしたものである。
【００２１】
具体的には、図１，図４に示す如く第１仕切室１１ａは前記カバー体１５に設けられた外気取入口１７を有すると共に内部は蒸発皿１９を配置する蒸発皿配置空間２１とその上方の凝縮器配置空間２３とからなっている。凝縮器配置空間２１には上下方向に長く、しかも、薄く作られた凝縮器２５が配置されている。
【００２２】
凝縮器配置空間２１は、前記第２仕切室１１ｂの圧縮機配置空間２７、即ち、下方の蒸発皿配置空間２３の奥行寸法ｄより小さい断面通路に形成され、凝縮器２５の全領域にわたって冷却風が流れる通風路２９となっている。
【００２３】
第２仕切室１１ｂは排気口３１を有し、内部は圧縮機３３を配置する圧縮機配置空間３５となっている。
【００２４】
圧縮機３３は前記放熱ファン１３の軸流方向に沿って対向配置されている。排気口３１は前記カバー体１５と床板パネル３７とにそれぞれ設けられ、側方（図１左方）と下方（床面）へ向かう排気構造となっている。
【００２５】
なお、前記した圧縮機３３及び凝縮器２５は図示していない蒸発器と絞り装置とにより圧縮機３３から吐出された冷媒が凝縮器２５、絞り装置、蒸発器（いずれも図示していない）を通り、再び圧縮機３３に戻る冷凍サイクルを構成する。
【００２６】
一方、第１仕切室１１ａの外気取入口１７と第２仕切室１１ｂの排気口３１は、図４、図５に示す如く冷蔵庫本体９から突出し室内壁面３９と接触可能な左右方向に長い仕切り突起体４１によって上下に仕切られ、排気口３１からの排気風が直接外気取入口１７から吸込まれるショートサーキットが阻止されるようになっている。
【００２７】
この場合、左右に長い仕切り突起体４１にかえて上下に長い仕切り突起体（図示していない）によって外気取入口１７と排気口３１とを左右方向に仕切ることも可能である。
【００２８】
仕切り突起体４１は、冷蔵庫本体９に対して一体又は別体のいずれでもよいが、本実施形態では、入口等から搬入時に冷蔵庫本体９からのでっぱり形状をなくし、搬入作業が容易に行なえるようカバー体１５に対して取付けねじ等の固着手段４３によって着脱可能となっている。
【００２９】
冷蔵庫本体９に固着された仕切り突起体４１の突出長さＬは、冷蔵庫１を室内壁面３９に接近させて設置する時に、仕様書に書かれている放熱スペース分の隙間を確保するための寸法と同じとなっている。これにより、仕切り突起体４１を壁面３９に接触させることで仕様書に書かれた放熱スペース分の隙間を意識しなくても確実に確保された冷蔵庫１の設置が得られるようになっている。
【００３０】
図６から図８は、仕切り突起体４１の別の実施例を示したものである。
【００３１】
仕切り突起体４１は、突起体本体４５とその突起体本体４５から付勢手段となるコイルばね４７によって常時突出するよう付勢され、室内壁面３９と接触し合う突出状態（図７）と突出状態から後退し、突起体本体４５内に収まる後退状態（図６）とに進退可能な壁面接触部４９とで構成されている。
【００３２】
突起体本体４５の両サイドは、図８に示す如く冷蔵庫本体９の背面となるカバー体１５のコーナテーパ角にねじ５１によって着脱自在に取付ける取付け部５３となっている。中間領域は係合爪５５によってカバー体１５に設けられた係合孔１５ａと係脱自在に係合し合うことで支持されている。
【００３３】
両サイドの取付け部５３を含む幅ａは、冷蔵庫本体９の背面左右方向となる幅と同一となっている。突起体本体４５の突出長さＬは、室内壁面３９からの放熱スペースを確保する寸法と同一となっている。
【００３４】
壁面接触部４９は、横長の帯板状に形成され、両端部の上方は図６、図７に示すように左右の取付け部５３内においてヒンジピン５７により下端側が自由端となるよう回動自在に支持されている。
【００３５】
自由端となる下方は、室内壁面３９と幅方向（図８左右）に沿って直接接触し合う接触部４９ａとなっている。
【００３６】
付勢手段となるコイルばね４７は、左右の取付け部５３内に設けられ、前記壁面接触部４９の両端部を突出状態（図７）になるよう常時付勢するようになっている。
【００３７】
したがって、冷蔵庫本体９を図６に示す如く突起体本体４５が室内壁面３９に接触するまで接近させた状態に設置すると、壁面接触部４９は突起体本体４５内に収まる後退状態（図６）となって仕様書に書かれた放熱スペース分の隙間Ｌが得られるようになる。
【００３８】
あるいは、冷蔵庫本体９を室内壁面３９から離れるよう移動させると、その移動に対応して壁面接触部４９はコイルばね４７による付勢力によって突出状態（図７）となり、隙間Ｌ−１が得られる。この結果、壁面接触部４９は、室内壁面３９と接触し合う設置位置から離れた設置位置まで常に接触し合う状態が得られるようになり、排気口から外気取入口へ向かう流れを確実に遮断する。
【００３９】
なお、仕切り突起体４１は冷蔵庫本体９と別体構造となっているが一体形状であってもよい。
【００４０】
また、壁面接触部４９は、ヒンジピン５７を支点として回動可能な構造となっているが、図９に示す如く冷蔵庫本体９に取付けられる突起体本体４５に矢印のように伸縮可能な伸縮タイプの壁面接触部４９を設け、壁面接触部４９を付勢手段となるコイルばね６１で前方（図９左方）へ向け常時付勢する構造のものであってもよい。
【００４１】
このように構成された冷蔵庫１によれば、放熱ファン１３の運転時外気取入口１７から取入れられた外気は、冷却風となって第１仕切室１１ａ、第２仕切室１１ｂを通り、排気口３１から左方及び下方へ排気される。
【００４２】
この時、凝縮器２５には全領域にわたって冷却風が通過するため効率のよい熱交換が行なわれる。また、圧縮機３３には放熱ファン１３によって第１仕切室１１ａを通過した冷却風の全量が全領域にわたって効率よく当るため確実な冷却状態が得られる。しかも、第２仕切室１１ｂからの排気方向は側方及び下方となるため騒音が直接前方（開閉扉７ａ側）へ向かうことがなくなり騒音レベルを小さく抑えることができる。
【００４３】
また、仕切り突起体４１によって排気したものを再び吸い込むというショートサーキットを阻止することができる。
【図面の簡単な説明】
【００４４】
【図１】本発明にかかる冷蔵庫の機械室領域を示した概要平面図。
【図２】機械室を示した冷蔵庫全体の概要側面図。
【図３】図１のＡ−Ａ線概要切断面図。
【図４】図１のＢ−Ｂ線概要切断面図。
【図５】冷蔵庫の機械室を後からみた概要背面図。
【図６】室内壁面に突起体本体を接触させた別の実施形態を示す仕切り突起体の一部切断説明図。
【図７】図６の室内壁面から突起体本体を離した状態の仕切り突起体の一部切断説明図。
【図８】仕切り突起体の一部分を示した概要斜視図。
【図９】さらに別の実施形態を示した仕切り突起体の概要切断説明図。
【符号の説明】
【００４５】
１    冷蔵庫
９    冷蔵庫本体
１１    機械室
１１ａ    第１仕切室
１１ｂ    第２仕切室
１３    放熱ファン
１５    カバー体
１７    外気取入口
１９    蒸発皿
２５    凝縮器
２９    通風路
３１    排気口
３３    圧縮機
３９    室内壁面
４１    仕切り突起体
【図１】
2009008375.tif 000003
【図２】
2009008375.tif 000004
【図３】
2009008375.tif 000005
【図４】
2009008375.tif 000006
【図５】
2009008375.tif 000007
【図６】
2009008375.tif 000008
【図７】
2009008375.tif 000009
【図８】
2009008375.tif 000010
【図９】
2009008375.tif 000011